(57)【要約】【課題】透明性と映像の視認性との両方において優れた透過型スクリーンを提供する。【解決手段】透過型スクリーン２０は、第１方向ｄ１に配列された白色の光散乱部３１ａと、光散乱部３１ａと第１方向ｄ１に交互に配置された光透過部３１ｂと、を有する光制御部３１を備える。光散乱部３１ａと光透過部３１ｂの間の界面３１ｃは、反射面を形成する。光散乱部３１ａの幅Ｗは、透過型スクリーン２０の一方の面から離間するにつれて細くなるよう変化する。透過型スクリーン２０の全光線透過率τｔと拡散透過率τｄが、次の式（ａ）及び（ｂ）を満たす。      １５％≦τｔ−τｄ≦５５％  ・・・式（ａ）      ３０％≦τｄ／τｔ≦８０％  ・・・式（ｂ）【選択図】図３
2018163318.tif 000002
【特許請求の範囲】
【請求項１】
第１方向に配列された白色の光散乱部と、前記光散乱部と前記第１方向に交互に配置された光透過部と、を有する光制御部を備える透過型スクリーンであって、
前記光散乱部と前記光透過部の間の界面が、反射面を形成し、
前記光散乱部の幅は、当該透過型スクリーンの一方の面から離間するにつれて細くなるよう変化し、
当該透過型スクリーンの全光線透過率τｔと拡散透過率τｄが、次の式（ａ）及び（ｂ）を満たす、透過型スクリーン。
１５％≦τｔ−τｄ≦５５％  ・・・式（ａ）
３０％≦τｄ／τｔ≦８０％  ・・・式（ｂ）
【請求項２】
少なくとも一部が曲面状に湾曲している、請求項１に記載の透過型スクリーン。
【請求項３】
請求項１または２に記載の透過型スクリーンと、
前記透過型スクリーンに映像光を投射する映像光源と、を備える表示装置。
【発明の詳細な説明】
【技術分野】
【０００１】
本発明は、透過型スクリーン、及び、透過型スクリーンを有する表示装置に関する。
【背景技術】
【０００２】
例えば特許文献１に開示されているように、透過型スクリーンおよび透過型スクリーンを有した背面投射型表示装置が知られている。このような透過型スクリーンは、映像非表示の状態では、通常、黒色または白色に観察される。
【０００３】
従来の透過型スクリーンは、ストライプ状に配列された機能部を有している。機能部は、その表面に反射界面を形成し、入射した映像光を反射する。ただし、隣り合う機能部の間には映像光を透過する透過部が設けられている。
【先行技術文献】
【特許文献】
【０００４】
【特許文献１】特開平９−１１４００３号公報
【特許文献２】特開２０１４−０１３３６９号公報
【発明の概要】
【発明が解決しようとする課題】
【０００５】
特許文献２に開示された透過型スクリーンは、透明性、すなわち背面側を観察可能にする性質を有している。この透過型スクリーンでは、当該透過型スクリーンの光透過性を高め且つ光拡散性を低下させることで、言い換えると直進透過性を高めることで、透過型スクリーンの背面側の観察を可能にしている。しかしながら、この透過型スクリーンでは、スクリーンに投射された映像光に対する光拡散性も低下するため、映像の視認性が低下してしまう。一方、光拡散性の高い透過型スクリーンでは、映像光を十分に拡散することで映像の視認性に優れるが、その高い光拡散性によって透過型スクリーンの背面側の観察が阻害される。
【０００６】
本発明は、以上の点を考慮してなされたものであって、透明性と映像の視認性との両方において優れた透過型スクリーンを提供することを目的とする。
【課題を解決するための手段】
【０００７】
本発明の透過型スクリーンは、
第１方向に配列された白色の光散乱部と、前記光散乱部と前記第１方向に交互に配置された光透過部と、を有する光制御部を備える透過型スクリーンであって、
前記光散乱部と前記光透過部の間の界面が、反射面を形成し、
前記光散乱部の幅は、当該透過型スクリーンの一方の面から離間するにつれて細くなるよう変化し、
当該透過型スクリーンの全光線透過率τｔと拡散透過率τｄが、次の式（ａ）及び（ｂ）を満たす。
１５％≦τｔ−τｄ≦５５％  ・・・式（ａ）
３０％≦τｄ／τｔ≦８０％  ・・・式（ｂ）
【０００８】
本発明の透過型スクリーンにおいて、少なくとも一部が曲面状に湾曲していてもよい。
【０００９】
本発明の表示装置は、
上述したいずれかの透過型スクリーンと、
前記透過型スクリーンに映像光を投射する映像光源と、を備える。
【発明の効果】
【００１０】
本発明によれば、透過型スクリーンの透明性を確保しながら、表示される映像光の視認性を向上させることができる。
【図面の簡単な説明】
【００１１】
【図１】図１は、表示装置を概略的に示す図であり、観察者と表示装置（映像光源及び透過型スクリーン）との配置関係例を示す図である。
【図２】図２は、映像光源及び透過型スクリーンを概略的に示す斜視図である。
【図３】図３は、透過型スクリーンの構成を示す断面図であって、透過型スクリーンに含まれる光制御部を説明するための図である。
【図４】図４は、表示装置の一変形例を概略的に示す図である。
【図５】図５は、表示装置の他の変形例を概略的に示す図である。
【図６】図６は、本発明の実施例および比較例の直進透過率およびヘイズ値を示すグラフである。
【発明を実施するための形態】
【００１２】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００１３】
なお、本明細書において、「層」、「シート」及び「フィルム」の用語は、呼称の違いのみに基づいて互いから区別されるものではない。例えば「層」という用語は、シート或いはフィルムと呼ばれ得るような部材も含む概念である。
【００１４】
また、本明細書において用いる、形状や幾何学的条件ならびにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１５】
図１は、本発明による一実施の形態の表示装置１０を概略的に示す図であり、観察者１に対する表示装置１０の位置関係を例示する図である。図１に示されるように、表示装置１０は、映像光源１５及び透過型スクリーン２０を備える。
【００１６】
本実施の形態の表示装置１０は、いわゆる背面投射型表示装置として構成されている。表示装置１０は、入光側から投射される映像光Ｌ１を出光側に透過させる透過型スクリーン２０と、透過型スクリーン２０の入光側に配置された映像光源１５と、を備える。映像光源１５は、透過型スクリーン２０に映像光Ｌ１を投射するプロジェクタとして機能する。ここで、透過型スクリーン２０に関する「入光側」は、映像光源１５から射出した映像光が入射する側であり、透過型スクリーン２０に関する「出光側」は、映像光が出射する側である。
【００１７】
なお、ここで言う映像光Ｌ１の具体的な態様は特に限定されず、映像光Ｌ１は、具体的な種類や内容を問わず、光全般を含み得る。典型的には特定の情報を表す光によって映像光Ｌ１が構成され得るが、他の任意の態様を有する光（例えば不規則な図柄を表す光や何らの特定情報も表さない光等）によって映像光Ｌ１が構成されてもよい。例えば、映像光Ｌ１は、印刷が施された透明なフィルム等を透過させて映像を表示する光であってもよいし、遮光物によって明暗の映像を表示する光であってもよい。
【００１８】
本実施の形態の映像光源１５は、透過型スクリーン２０の入光面２１の全域に対し、照射領域が次第に広がっていく発散光束（拡大投影された光束）としての映像光Ｌ１を照射する。このような映像光源１５は特に限定されず、例えば陰極線管（ＣＲＴ：Ｃａｔｈｏｄｅ  Ｒａｙ  Ｔｕｂｅ）を用いた方式、液晶を用いた方式、或いはデジタルマイクロミラーデバイス（ＤＭＤ：Ｄｉｇｉｔａｌ  Ｍｉｃｒｏｍｉｒｒｏｒ  Ｄｅｖｉｃｅ）を用いた方式等の既知の光源を映像光源１５として使用できる。
【００１９】
透過型スクリーン２０は、入光側に位置する入光面２１及び出光側に位置する出光面２２を有し、映像光源１５から入光面２１に照射される映像光Ｌ１を透過して出光面２２から出光側（観察者１側）に出光させる。透過型スクリーン２０は拡散機能を有し、種々の方向に向けて映像を結像する。したがって、観察者１は、種々の方向から透過型スクリーン２０の出光面２２を観察することにより、映像光Ｌ１によって形成される映像を視認することができる。
【００２０】
透過型スクリーン２０は、高い直進透過率と大きなヘイズ値を有する。ここで、直進透過率は、透過型スクリーン２０の全光線透過率τｔと拡散透過率τｄとの差τｔ−τｄで表すことができる。すなわち、直進透過率とは、透過型スクリーン２０を透過する光のうち、拡散する光を除いた光、言い換えると直進する光の割合を意味する。また、ヘイズ値は、全光線透過率τｔに対する拡散透過率τｄの比で表され、透過型スクリーン２０を透過する光の拡散率を意味する。
【００２１】
なお、全光線透過率τｔとは、透過型スクリーンへ入光する光の量に対する、透過型スクリーンを透過する光の量の割合である。拡散透過率τｄとは、透過型スクリーンへ入光する光に対する、直進方向以外の方向に透過型スクリーンを透過する光の量、すなわち拡散されて透過する光の量の割合である。全光線透過率τｔと拡散透過率τｄは、ＪＩＳ  Ｋ  ７３６１に準拠したヘイズメーター（例えば、村上色彩技術研究所製、製品番号：ＨＭ−１５０）によって測定することができる。
【００２２】
具体的には、本実施の形態の透過型スクリーン２０は、直進透過率τｔ−τｄが１５％以上５５％以下であり、且つ、ヘイズ値τｄ／τｔが３０％以上８０％以下である。直進透過率が１５％以上であれば、透過型スクリーン２０の背面側を十分に観察可能な透明性を得ることができる。また、ヘイズ値が３０％以上であれば、透過型スクリーン２０を透過する光の拡散性を十分に高めることができ、観察者に映像を鮮明に視認させることができる。しかしながら、直進透過率とヘイズ値は互いに相関があるため、直進透過率が高すぎると十分なヘイズ値が得られず、ヘイズ値が高すぎると十分な直進透過率が得られない。したがって、直進透過率およびヘイズ値が上述の範囲にあることで、透過型スクリーンの透明性と映像の視認性を両立することができる。
【００２３】
透過型スクリーン２０の直進透過率およびヘイズ値は、例えば出光面２２における透過型スクリーン２０の後述する光散乱部３１ａと光透過部３１ｂとの割合を変化させることによって、調整することができる。光散乱部３１ａの割合を増やすことで、ヘイズ値を大きくすることができ、光透過部３１ｂの割合を増やすことで、直進透過率を大きくすることができる。
【００２４】
図２は、映像光源１５及び透過型スクリーン２０を概略的に示す斜視図である。図示された透過型スクリーン２０は、入光面２１が全体として凸となり、出光面２２が全体として凹となるような湾曲形状を持ち、曲面状のスクリーン面（出光面２２）を有する。図２の例では、入光面２１及び出光面２２のそれぞれが三次元曲面を成すように透過型スクリーン２０は曲面状に湾曲している。ここで、三次元曲面を成す曲面状に湾曲しているとは、互いに対して傾斜した複数の軸をそれぞれ中心として、部分的又は全体的に曲がっていることを意味する。図示された例では、略矩形状の透過型スクリーン２０が、概ね、水平方向と平行、且つ、透過型スクリーン２０の中央位置Ｐａにおける透過型スクリーン２０の接平面に平行で、透過型スクリーン２０の出光側に位置する第１の軸Ａ１を中心とした第１方向ｄ１に湾曲するとともに、鉛直方向と平行で、透過型スクリーン２０の出光側に位置する第２の軸Ａ２を中心とした第２方向ｄ２に湾曲している。この結果、透過型スクリーン２０は全体として映像光源１５側へ凸を形成する三次元曲面を成すように湾曲し、入光面２１は透過型スクリーン２０の中央位置Ｐａにおいて映像光源１５側に最も突出した状態となる。なお本実施の形態の透過型スクリーン２０は、後述のように複数の層が積層された多層構造を有し、各層が同様の三次元曲面を成すように湾曲する。
【００２５】
なお、透過型スクリーン２０は、三次元曲面に限らず、１つの軸のみを中心として、或いは、互いに平行な複数の軸を中心として、部分的又は全体的に湾曲している曲面、いわゆる２．５次元曲面を成すように湾曲していてもよい。透過型スクリーン２０を２．５次元曲面とすることで、延伸させることなく、立体形状とすることができる。
【００２６】
次に、透過型スクリーン２０の具体的な構成について説明する。図３は、透過型スクリーンの層構成を示す断面図である。図３に示すように、透過型スクリーン２０は、光制御層３０を有する。なお、上述のように透過型スクリーン２０は湾曲しているが、理解を容易にするために、図３では透過型スクリーン２０の一部が平板状に示されている。
【００２７】
光制御層３０は、光制御部３１と、光制御部３１を支持する基部３５と、を含む。光制御部３１は、第１方向ｄ１に配列された光散乱部３１ａと、光散乱部３１ａと第１方向ｄ１に交互に配置された光透過部３１ｂと、を含む。光制御層３０は、入光した光の進行方向を変化させて映像光の透過型スクリーン２０からの出射方向を調整する。光制御層３０の厚さは、例えば１２０μｍ以上１７０μｍ以下である。図３に示すように、光制御層３０における光散乱部３１ａと光透過部３１ｂの間の界面３１ｃは、反射面を形成する。反射面での反射により、界面３１ｃに入光した光の進行方向を変化させることができる。また、好ましくは、界面３１ｃが形成する反射面は、拡散反射面である。界面３１ｃに入光した光を拡散反射させることで、出光面２２から出光する光の強さを向きによらずより均一にすることができる。
【００２８】
なお、光散乱部３１ａおよび光透過部３１ｂを異なる屈折率の材料で形成することにより、光散乱部３１ａおよび光透過部３１ｂの界面３１ｃを反射面とすることができる。また、光散乱部３１ａおよび光透過部３１ｂの界面３１ｃを微細な凹凸面とすることで、光散乱部および光透過部の界面を拡散反射面とすることができる。
【００２９】
光散乱部３１ａ及び光透過部３１ｂは、例えば第１方向ｄ１に配列され且つ第１方向ｄ１と交差する第２方向ｄ２に線状に延びている。
【００３０】
光散乱部３１ａ及び光透過部３１ｂの断面形状は、要求される機能に応じて種々の形状を採用することができる。本実施の形態においては、光散乱部３１ａの幅Ｗは、透過型スクリーン２０の出光面２２から離間するにつれて細くなるよう変化している。ここで、光散乱部の幅Ｗが「透過型スクリーンの出光面から離間するにつれて細くなるよう変化している」とは、光散乱部の幅Ｗが、透過型スクリーンの出光面からの距離に応じて連続的に変化し続けることのみを意味している訳ではなく、出光面から離間するにともなって幅が狭くなる部分を含み且つ出光面から離間するにともなって幅が太くなる部分を含まないことを意味している。ただし好ましくは、光制御層３０の法線方向に沿った少なくとも一部の領域において、光散乱部の幅が連続的に減少することが好ましい。
【００３１】
図３に示された例において、光散乱部３１ａの断面形状は、一方の底辺が他方の底辺に比べて十分に小さい台形形状となっており、光透過部３１ｂの断面形状は、他方の底辺が一方の底辺に比べて十分に小さい台形形状となっている。台形形状の長い方の底辺は観察者１側、すなわち出光面２２側を向いており、短い方の底辺は映像光源１５側、すなわち入光面２１側を向いている。
【００３２】
光散乱部３１ａが有彩色や黒色である場合、界面３１ｃで反射せずに光散乱部３１ａに入光した映像光が吸収されてしまい、映像光の利用効率が低下する。したがって、光散乱部３１ａは白色となっていることが好ましい。光散乱部３１ａを白色とすることで、光散乱部３１ａに入光した映像光は、吸収されず、散乱されながら透過して出光面２２から出光する。散乱して出光した映像光は、観察者によって観察され得る。したがって、映像光を効率よく利用することができる。
【００３３】
光散乱部３１ａを白色とするために、光散乱部３１ａは、例えば光透過部３１ｂとは異なる屈折率を有したバインダー樹脂中に酸化チタン等の白色顔料を含むようにしてもよい。一方、光透過部３１ｂは、可視光透過性を有している。
【００３４】
光散乱部３１ａおよび光透過部３１ｂの材料は、特に限定されないが、紫外線硬化型のバインダー樹脂であることが望ましい。光散乱部３１ａおよび光透過部３１ｂの屈折率は、材料の脆弱性や入手容易性、光散乱部３１ａと光透過部３１ｂとの界面３１ｃで光を反射させることを考慮すると、光散乱部３１ａの屈折率は１．４７以上１．５０以下、光透過部３１ｂの屈折率は１．５５以上１．６１以下、光散乱部３１ａと光透過部３１ｂとの屈折率差は０．０５以上０．１４以下であることが好ましい。光散乱部３１ａの屈折率は、１．４９であることがより好ましく、光透過部３１ｂの屈折率は、１．５６であることがより好ましい。光散乱部３１ａと光透過部３１ｂとの屈折率差を大きくすることにより、より多くの光を光散乱部３１ａと光透過部３１ｂとの界面３１ｃで反射させることができる。
【００３５】
基部３５は、光制御部３１を適切に支持することのできる部材である。基部３５は、可視光透過性を有する。基部３５をなす材料としては、種々の材料を使用することができるが、基部３５と光制御部３１の光透過部３１ｂとの間に反射界面が形成されることを避けるために、基部３５の屈折率と光透過部３１ｂの屈折率とが、同一であることが好ましい。典型的には、基部３５は、光制御部３１の光透過部３１ｂと同一の材料からなる。
【００３６】
次に、光制御層３０の製造方法について説明する。
【００３７】
まず、紫外線硬化型樹脂を、型を用いて光透過部３１ｂと基部３５との形状に成型し、紫外線を照射して硬化させる。光透過部３１ｂは、光散乱部３１ａのための隙間部分を有する。次に、光透過部３１ｂの隙間部分に光散乱部３１ａを構成するようになる組成物、ここでは紫外線硬化型樹脂を充填する。光散乱部３１ａを構成する樹脂には、酸化チタン等の光を散乱する顔料等が含まれる。その後、光透過部３１ｂの隙間部分からはみ出した組成物の余剰分をスキージ等によって掻き取る。そして残った組成物に光透過部３１ｂの側から紫外線を照射して硬化させる。このようにして、光透過部３１ｂの隙間に光散乱部３１ａが形成され、光制御層３０が形成される。
【００３８】
なお、光透過部３１ｂ及び基部３５は、基材上に形成することが、製造を容易にする上で好ましい。この場合、図示を省略するが、得られた透過型スクリーン２０において、基部３５の側から光制御層３０に基材が積層されるようになる。このような基材として、例えば、ポリエチレンテレフタレート製のフィルムを用いることができる。
【００３９】
次に、本実施の形態の透過型スクリーン２０及び表示装置１０の作用を説明する。
【００４０】
映像光源１５が映像光を出光していない場合（非表示状態の場合）、観察者１には透過型スクリーン２０の出光面２２が観察される。また、透過型スクリーン２０の透明性によって、透過型スクリーン２０の背面側を観察することができる。
【００４１】
映像光源１５が映像光を出光している場合（表示状態の場合）、図３に示すように、映像光Ｌ３１、Ｌ３２は、透過型スクリーン２０の光制御層３０に入光する。光制御層３０に入光した一部の光は、光制御層３０の光透過部３１ｂを透過し、光散乱部３１ａに入光することなく、出光面２２から出光する。光制御層３０に入光した他の一部の光Ｌ３１は、光散乱部３１ａに向かい、光散乱部３１ａと光透過部３１ｂとの界面３１ｃで反射される。この光Ｌ３１は、界面３１ｃでの反射によって進行方向を調整された後、出光面２２から出光する。図示された例では、映像光は、界面３１ｃにおいて拡散されて透過型スクリーンを透過する。光制御層３０に入光したさらに他の一部の光Ｌ３２は、光散乱部３１ａに入光する。この光Ｌ３２は、光散乱部３１ａの内部で散乱されながら出光する。光Ｌ３１及び光Ｌ３２によって、映像光は種々の方向に向けて出射することになり、この映像光によって表示される映像を種々の方向から観察することが可能となる。
【００４２】
以上に説明したように、本実施の形態において、透過型スクリーン２０は、第１方向ｄ１に配列された白色の光散乱部３１ａと、光散乱部３１ａと第１方向ｄ１に交互に配置された光透過部３１ｂと、を有する光制御部３１を備える透過型スクリーン２０であって、光散乱部３１ａと光透過部３１ｂの間の界面３１ｃが、反射面を形成し、光散乱部３１ａの幅Ｗは、透過型スクリーン２０の一方の面から離間するにつれて細くなるよう変化し、透過型スクリーン２０の全光線透過率τｔと拡散透過率τｄが、次の式（ａ）及び（ｂ）を満たす。
１５％≦τｔ−τｄ≦５５％  ・・・式（ａ）
３０％≦τｄ／τｔ≦８０％  ・・・式（ｂ）
このような透過型スクリーン２０によれば、透過型スクリーン２０の背面側を十分に観察可能な透明性を得ることができ、且つ、映像を鮮明に視認可能な拡散性を得ることができる。すなわち、透過型スクリーン２０の透明性を確保しながら、表示される映像光の視認性を向上させることができる。
【００４３】
上述した実施の形態の透過型スクリーンおよび表示装置は、種々の用途に用いることができる。表示装置としての用途の具体例としては、建築物の壁、扉、仕切り等に埋め込まれた案内板、広告、看板等のディスプレイ表示器を例示できる。なお、ディスプレイ表示器における表示の内容としては、避難経路、火災報知器、警告灯等の、何らかの警告表示であってもよい。
【００４４】
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いるとともに、重複する説明を省略する。
【００４５】
図１及び図２には映像光Ｌ１が映像光源１５から透過型スクリーン２０（入光面２１）に対して直接的に照射される例が示されているが、これに限定されない。図４は、表示装置１０の一変形例を概略的に示す図である。図４に示す表示装置１０は、上述の映像光源１５及び透過型スクリーン２０に加えてミラー部１８を更に備え、ミラー部１８は、映像光源１５からの映像光Ｌ１を反射して透過型スクリーン２０に投射する。
【００４６】
このように映像光源１５から出光された映像光Ｌ１は、ミラー部１８、プリズム部或いはレンズ等の光学素子を介して透過型スクリーン２０に照射されてもよい。映像光源１５と透過型スクリーン２０との間に、例えばミラー部１８やプリズム部等を介在させることで映像光Ｌ１の光路を調整することができ、またレンズ等を介在させることで映像が拡大又は縮小された映像光Ｌ１を透過型スクリーン２０に照射することができる。また、これらの複数種類の光学素子を映像光源１５と透過型スクリーン２０との間に配置し、映像の拡大又は縮小が行われて光路が変更された後の映像光Ｌ１が透過型スクリーン２０（入光面２１）に照射されてもよい。
【００４７】
なお、図４では、１つのミラー部１８で映像光を反射して透過型スクリーン２０に投射する例を示しているが、２以上のミラー部で複数回映像光を反射して透過型スクリーン２０に投射してもよい。また、透過型スクリーン２０の透明性が高く透過型スクリーン２０の背面側が観察され得るため、ミラー部１８は、図４に示すように、透過型スクリーン２０に正対する位置、或いは、透過型スクリーン２０のスクリーン面に垂直な方向からずれている位置に、配置されていることが好ましい。
【００４８】
また、図１及び図２には、入光面２１が全体として凸となり、出光面２２が全体として凹となるように湾曲する透過型スクリーン２０を例示したが、透過型スクリーン２０の形状はこれに限定されない。図５は、表示装置１０の他の変形例を概略的に示す図である。透過型スクリーン２０は、図５に示すように、入光面２１が全体として凹となり、出光面２２が全体として凸となるように湾曲してもよい。あるいは、透過型スクリーン２０の一部が凹または凸となるように湾曲していてもよい。また、図示は省略するが、透過型スクリーン２０は平板状に形成されてもよく、入光面２１及び出光面２２の各々が全体として平面であってもよい。
【００４９】
また、透過型スクリーン２０は、上述の光制御層３０以外の部材を具備してもよく、特定の機能を発揮することを期待された他の機能層が設けられてもよい。その場合、単一の機能層が２以上の機能を発揮してもよく、上述の各層のうちの少なくとも１つの要素に他の機能を付与してもよい。透過型スクリーン２０に付与されうる機能は特に限定されないが、一例として、耐擦傷性を発揮するハードコート（ＨＣ：Ｈａｒｄ  Ｃｏａｔｉｎｇ）機能、防汚機能、防眩（ＡＧ：Ａｎｔｉ−Ｇｌａｒｅ）機能及び反射防止（ＡＲ：Ａｎｔｉ−Ｒｅｆｌｅｃｔｉｏｎ）機能等が挙げられる。
【００５０】
以上において上述した実施の形態に対するいくつかの変形例を説明してきたが、当然に、複数の変形例を適宜組み合わせて適用することも可能である。
【実施例】
【００５１】
以下、実施例を用いて本発明をより詳細に説明するが、本発明はこの実施例に限定されるものではない。
【００５２】
実施例１〜３および比較例１〜３として、以下の透過型スクリーンについて、直進透過率τｔ−τｄおよびヘイズ値τｄ／τｔを測定した。直進透過率およびヘイズ値は、ヘイズメーター（例えば、村上色彩技術研究所製、製品番号：ＨＭ−１５０）によって全光線透過率τｔと拡散透過率τｄを測定して算出した。
【００５３】
実施例１は、光散乱部と光透過部とを有する光制御部を備える透過型スクリーンである。光散乱部および光透過部は、紫外線硬化型のバインダー樹脂であり、光散乱部の屈折率は１．４９、光透過部の屈折率は１．５６であった。また、光散乱部は、酸化チタンを含み白色であった。光散乱部の形状は深さ１００μｍ、視認側の幅１２μｍの楔形状であり、光透過部の視認側の幅は２８μｍであった。光散乱部と光透過部は、スクリーンの全面にわたって一方向に延びながら交互に配置されている。測定の結果、実施例１における直進透過率は４９％、ヘイズ値は３９％であった。
【００５４】
実施例２は、実施例１の光散乱部の視認側の幅と光透過部の視認側の幅をそれぞれ２０μｍ、２８μｍとし、他同様にして作製した透過型スクリーンである。実施例２について、測定結果は、直進透過率が３７％、ヘイズ値が４２％であった。
【００５５】
実施例３は、実施例１の光散乱部の視認側の幅と光透過部の視認側の幅をそれぞれ４０μｍ、１５μｍとし、他同様にして作製した透過型スクリーンである。実施例３について、測定結果は、直進透過率が１９％、ヘイズ値が７３％であった。
【００５６】
比較例１は、実施例１の光散乱部の視認側の幅と光透過部の視認側の幅をそれぞれ１２μｍ、４５μｍとし、他同様にして作製した透過型スクリーンである。比較例１について、測定結果は、直進透過率が５５％、ヘイズ値が２４％であった。
【００５７】
比較例２は、実施例１の光散乱部の視認側の幅と光透過部の視認側の幅をそれぞれ５０μｍ、２μｍとし、他同様にして作製した透過型スクリーンである。比較例２について、測定結果は、直進透過率が３％、ヘイズ値が９９％であった。
【００５８】
比較例３は、実施例１の光散乱部の視認側の幅と光透過部の視認側の幅をそれぞれ５０μｍ、０μｍとし、他同様にして作製した透過型スクリーンである。すなわち、光散乱部の割合を大きくして実質的に光透過部をゼロとした。比較例３について、測定結果は、直進透過率は０％、ヘイズ値は１００％であった。
【００５９】
実施例１〜３および比較例１〜３について、目視による観察を行ったところ、透過型スクリーンに対して映像光源が映像光を出光していない場合（非表示状態の場合）、実施例１〜３および比較例１では、透過型スクリーンの背面側を観察することができた。一方、比較例２，３では、透過型スクリーンが白色に観察され、透過型スクリーンの背面側を観察することができなかった。また、映像光源が映像光を出光している場合（表示状態の場合）、実施例１〜３および比較例２，３では、透過型スクリーン上に映像を鮮明に視認することができた。一方、比較例１では、透過型スクリーン上に表示された映像が不鮮明であった。
【００６０】
実施例および比較例の観察から、直進透過性が１５％以上且つヘイズ値が３０％以上であれば、透過型スクリーンにおいて優れた透明性と優れた映像の視認性との両立が可能であることが理解される。しかしながら、上述したように、直進透過率が高すぎると十分なヘイズ値が得られず、ヘイズ値が高すぎると十分な直進透過率が得られない。実施例と比較例との比較、および直進透過率とヘイズ値の相関から、直進透過率は５５％以下、ヘイズ値は８０％以下であることが好ましいことが理解される。
【００６１】
以上の実施例１〜３および比較例１〜３の直進透過率τｔ−τｄおよびヘイズ値τｄ／τｔの測定結果についてまとめたものが、図６に示すグラフである。図６のグラフの斜線部は、式（ａ）および（ｂ）の範囲を示す。
１５％≦τｔ−τｄ≦５５％  ・・・式（ａ）
３０％≦τｄ／τｔ≦８０％  ・・・式（ｂ）
図６のグラフの斜線部の範囲が上述した透明性と映像の視認性との両立が可能な範囲である。実施例１〜３に限らず、この範囲に直進透過率およびヘイズ値があれば、透明性と映像の視認性との両立が可能となる。
【符号の説明】
【００６２】
１０    表示装置
１５    映像光源
２０    透過型スクリーン
２１    入光面
２２    出光面
３０    光制御層
３１    光制御部
３１ａ  光散乱部
３１ｂ  光透過部
３１ｃ  界面
３５    基部
【図１】
2018163318.tif 000003
【図２】
2018163318.tif 000004
【図３】
2018163318.tif 000005
【図４】
2018163318.tif 000006
【図５】
2018163318.tif 000007
【図６】
2018163318.tif 000008